(57)【要約】【課題】  名刺とともに、名刺の形態をもった物体として手渡すことができ、受け取った相手が名刺の整理を容易に行うことが可能なパンフレットを提供する。【解決手段】  会社案内などのパンフレットとしての記載事項が印刷された表示面を有する紙面から構成された本体部１０を折り畳むことにより名刺大の積層体を形成する。この本体部１０に折り目Ｆ１を介して連接し、名刺の一部が覗ける開口窓Ｗを有する蓋部２０と、この蓋部２０に折り目Ｆ２を介して連接するフラップ部３０を設ける。積層体の最上層１１の上に名刺４０を置き、その上に蓋部２０を被せ、フラップ部３０を最下層１５の下面へと折り込めば、全体として、名刺の形態をしたパンフレットが形成できる。【選択図】図１
0003121148.tif 000002
【実用新案登録請求の範囲】
【請求項１】
名刺を添付した状態で手渡すことが可能なパンフレットであって、
パンフレットとしての記載事項が印刷された表示面を有する紙面から構成され、折り畳むことにより前記名刺とほぼ同じサイズの積層体もしくは前記名刺とほぼ同じサイズの枠内に収まるサイズの積層体を形成することが可能な本体部と、
前記本体部に対して第１の折り目を介して連接しており、前記第１の折り目を折ることにより、前記積層体の最上層の上に更に積層した状態となる紙から構成され、前記名刺とほぼ同じサイズもしくは前記名刺とほぼ同じサイズの枠内に収まるサイズの蓋部と、
を備え、前記積層体の最上層と前記蓋部との間に前記名刺を挿入したときに、前記名刺の一部が上方から視認できるように、前記蓋部に開口窓が形成されていることを特徴とする名刺添付機能をもったパンフレット。
【請求項２】
請求項１に記載のパンフレットにおいて、
蓋部に対して第２の折り目を介して連接しており、前記第２の折り目を折ることにより、前記積層体の最下層の下に折り込むか、もしくは、前記積層体の中間層に挿入することができる紙面から構成されたフラップ部を更に備えることを特徴とする名刺添付機能をもったパンフレット。
【請求項３】
請求項２に記載のパンフレットにおいて、
「フラップ部」もしくは「このフラップ部を第２の折り目で折ったときに接することになる本体部側の当接領域」に、これら両者を粘着状態にするための粘着層を形成したことを特徴とする名刺添付機能をもったパンフレット。
【請求項４】
請求項２に記載のパンフレットにおいて、
「フラップ部」もしくは「このフラップ部を第２の折り目で折ったときに接することになる本体部側の当接領域」に、これら両者を係合状態にするための切れ目を形成したことを特徴とする名刺添付機能をもったパンフレット。
【請求項５】
請求項１〜４のいずれかに記載のパンフレットにおいて、
積層体の最上層もしくは蓋部に、名刺を粘着固定するための粘着層を形成したことを特徴とする名刺添付機能をもったパンフレット。
【請求項６】
請求項１〜４のいずれかに記載のパンフレットにおいて、
積層体の最上層もしくは蓋部に、名刺を差し込むことにより固定するための開口窓もしくはスリットを形成したことを特徴とする名刺添付機能をもったパンフレット。
【請求項７】
請求項１〜６のいずれかに記載のパンフレットにおいて、
本体部の所定箇所に、任意形状を有する装飾用の開口窓を形成したことを特徴とする名刺添付機能をもったパンフレット。
【請求項８】
請求項１〜７のいずれかに記載のパンフレットにおいて、
蓋部の少なくとも開口窓およびその近傍部分に、透光性のシート状部材を張り付け、この透光性のシートを通して名刺の一部が視認できるようにしたことを特徴とする名刺添付機能をもったパンフレット。
【請求項９】
請求項１〜８のいずれかに記載のパンフレットにおいて、
平面上に名刺大の長方形を複数隣接配置してなる図形を定義し、１つの長方形を外枠とする任意形状の紙面により蓋部を形成し、残りの長方形をそれぞれ外枠とする任意形状の紙面により本体部となる積層体の各層を形成し、各長方形の輪郭線に沿った折り目を用いて折り畳むことにより積層体が形成できるようにしたことを特徴とする名刺添付機能をもったパンフレット。
【請求項１０】
請求項１〜９のいずれかに記載のパンフレットにおいて、
蓋部を複数の層からなる積層体によって構成し、これら複数の層のすべてに開口窓を形成したことを特徴とする名刺添付機能をもったパンフレット。
【請求項１１】
名刺を添付した状態で手渡すことが可能なパンフレットであって、
パンフレットとしての記載事項が印刷された表示面を有する紙面から構成され、
折り畳むことにより、内部に前記名刺を収容した積層体を形成したときに、前記名刺の一部が外部から視認できるように、必要箇所に開口窓が形成されていることを特徴とする名刺添付機能をもったパンフレット。
【請求項１２】
請求項１１に記載のパンフレットにおいて、
名刺を載置可能な底面層と、この底面層の上に折り畳むことが可能な折畳層と、を有し、前記底面層に開口窓が形成されていることを特徴とする名刺添付機能をもったパンフレット。
【請求項１３】
請求項１〜１２のいずれかに記載のパンフレットにおいて、
各部の折り目の全部もしくは一部をミシン目によって構成し、必要に応じて、このミシン目を利用してパンフレットの一部分を切り離せるように構成したことを特徴とする名刺添付機能をもったパンフレット。
【請求項１４】
請求項１〜１３のいずれかに記載のパンフレットにおいて、
本体部が、会社・店舗案内用の書状、飲食物のメニュー、商品・役務を掲載したチラシ・カタログ、催事案内用の書状、商品・役務に関するクーポン券・サービス券・割引券もしくはカレンダーなどの印刷物によって構成されていることを特徴とする名刺添付機能をもったパンフレット。
【考案の詳細な説明】
【技術分野】
【０００１】
本考案は、名刺添付機能をもったパンフレットに関し、特に、名刺大に折り畳み、名刺とともに手渡すのに適したパンフレットに関する。
【背景技術】
【０００２】
商業活動を促進させるための重要な手法として、様々な業務分野において、パンフレットの積極的な活用が行われている。パンフレットに掲載する事項は、会社案内、店舗案内、提供する商品や役務の内容、キャンペーンの情報、付加的なサービスの提供内容など、業種によって様々であるが、いずれの場合も、このようなパンフレットの配布は、営業活動に必要な情報を顧客に提示する手段として極めて有用である。
【０００３】
なお、本願では、「パンフレット」という用語を、種々の商業的情報を掲載して配布する印刷物を広く指す文言として用いることにする。したがって、会社案内、店舗案内などは勿論のこと、商品・役務を掲載したカタログやチラシ、飲食物のメニュー、キャンペーンや催事のお知らせ、クーポン券・サービス券・割引券、カレンダーなどの印刷物も含めて、本願では、「パンフレット」と呼ぶことにする。
【０００４】
一方、商業活動を行う際に、社会人としての自分自身の情報を顧客に提示する手段の代表格は名刺であり、営業活動において最も利用頻度の高い道具と言える。したがって、実際の商業活動では、顧客に自社のパンフレットを手渡す場合、名刺を一緒に手渡すことが少なくない。特に、初対面の顧客に対して、自社の業務内容を紹介するとともに、自分自身を紹介するケースでは、通常、パンフレットと名刺とを同時に手渡すことになろう。
【０００５】
このような便宜を考慮して、たとえば、下記の特許文献１には、商品カタログ等のパンフレットの裏面に、名刺付着欄を設けておき、ここに自己の名刺を貼り付けて、顧客に手渡すことができるようにする技術が開示されている。また、下記の特許文献２には、名刺と割引券とを同一の紙面上に形成し、両者の境界にミシン目を入れて切り離しができるようにする技術が開示されている。これらの技術を利用すれば、名刺とパンフレットとを一体として手渡すことができるので便利である。
【特許文献１】特開２００５−１９９７２９号公報
【特許文献２】特開２００５−２９７５２５号公報
【考案の開示】
【考案が解決しようとする課題】
【０００６】
通常、名刺はＢ８判という標準サイズ（５５ｍｍ×９１ｍｍ）が規格で定まっており、商業活動で利用されている名刺の多くは、この標準サイズのものである。また、市販の名刺入れや名刺フォルダなどは、ほとんどが、この標準サイズの名刺を収容することを前提として設計されている。このため、多くの人は、受け取った名刺を、この標準的な名刺入れや名刺フォルダに収容して整理しているのが実情である。
【０００７】
このような実情を考慮すると、前掲の各特許文献に掲載された技術は、パンフレットと名刺とを同時に手渡す際に、両者が一体となっているので非常に便利であるが、受け取った側の名刺管理の便宜は十分に図られてはいない。たとえば、特許文献１の技術では、パンフレットに名刺が貼り付けられてしまうため、受け取った者が、名刺だけを名刺フォルダなどに整理したい場合、これを剥がす必要がある。一方、特許文献２の技術では、やはり受け取った名刺を名刺フォルダなどに整理したい場合、ミシン目から切り離す作業を行う必要がある。
【０００８】
もうひとつの問題は、前掲の各特許文献に掲載された技術を利用した場合、受け取る側の感覚として、あくまでもパンフレットを受け取ったという印象が強く、名刺を受け取ったという意識に欠けるという点である。通常、初対面の相手と挨拶を交わす際には、双方の名刺を交換するという儀礼を行うのが一般的である。ところが、前掲の各特許文献に掲載された印刷物では、名刺としての印象が弱いため、名刺を交換するという儀礼上の役割を十分に果たすことはできない。
【０００９】
そこで本考案は、名刺とパンフレットとを一体として手渡すことができ、かつ、名刺を受け取ったという印象を与えることができ、しかも受け取った名刺の整理を容易に行うことが可能な名刺添付機能をもったパンフレットを提供することを目的とする。
【課題を解決するための手段】
【００１０】
(1)   本考案の第１の態様は、名刺を添付した状態で手渡すことが可能なパンフレットを、
パンフレットとしての記載事項が印刷された表示面を有する紙面から構成され、折り畳むことにより前記名刺とほぼ同じサイズの積層体もしくは前記名刺とほぼ同じサイズの枠内に収まるサイズの積層体を形成することが可能な本体部と、
前記本体部に対して第１の折り目を介して連接しており、前記第１の折り目を折ることにより、前記積層体の最上層の上に更に積層した状態となる紙から構成され、前記名刺とほぼ同じサイズもしくは前記名刺とほぼ同じサイズの枠内に収まるサイズの蓋部と、
によって構成し、前記積層体の最上層と前記蓋部との間に前記名刺を挿入したときに、前記名刺の一部が上方から視認できるように、前記蓋部に開口窓を形成するようにしたものである。
【００１１】
(2)   本考案の第２の態様は、上述の第１の態様に係る名刺添付機能をもったパンフレットにおいて、
蓋部に対して第２の折り目を介して連接しており、前記第２の折り目を折ることにより、前記積層体の最下層の下に折り込むか、もしくは、前記積層体の中間層に挿入することができる紙面から構成されたフラップ部を更に設けたものである。
【００１２】
(3)   本考案の第３の態様は、上述の第２の態様に係る名刺添付機能をもったパンフレットにおいて、
「フラップ部」もしくは「このフラップ部を第２の折り目で折ったときに接することになる本体部側の当接領域」に、これら両者を粘着状態にするための粘着層を形成したものである。
【００１３】
(4)   本考案の第４の態様は、上述の第２の態様に係る名刺添付機能をもったパンフレットにおいて、
「フラップ部」もしくは「このフラップ部を第２の折り目で折ったときに接することになる本体部側の当接領域」に、これら両者を係合状態にするための切れ目を形成したものである。
【００１４】
(5)   本考案の第５の態様は、上述の第１〜第４の態様に係る名刺添付機能をもったパンフレットにおいて、
積層体の最上層もしくは蓋部に、名刺を粘着固定するための粘着層を形成したものである。
【００１５】
(6)   本考案の第６の態様は、上述の第１〜第４の態様に係る名刺添付機能をもったパンフレットにおいて、
積層体の最上層もしくは蓋部に、名刺を差し込むことにより固定するための開口窓もしくはスリットを形成したものである。
【００１６】
(7)   本考案の第７の態様は、上述の第１〜第６の態様に係る名刺添付機能をもったパンフレットにおいて、
本体部の所定箇所に、任意形状を有する装飾用の開口窓を形成したものである。
【００１７】
(8)   本考案の第８の態様は、上述の第１〜第７の態様に係る名刺添付機能をもったパンフレットにおいて、
蓋部の少なくとも開口窓およびその近傍部分に、透光性のシート状部材を張り付け、この透光性のシートを通して名刺の一部が視認できるようにしたものである。
【００１８】
(9)   本考案の第９の態様は、上述の第１〜第８の態様に係る名刺添付機能をもったパンフレットにおいて、
平面上に名刺大の長方形を複数隣接配置してなる図形を定義し、１つの長方形を外枠とする任意形状の紙面により蓋部を形成し、残りの長方形をそれぞれ外枠とする任意形状の紙面により本体部となる積層体の各層を形成し、各長方形の輪郭線に沿った折り目を用いて折り畳むことにより積層体が形成できるようにしたものである。
【００１９】
(10)  本考案の第１０の態様は、上述の第１〜第９の態様に係る名刺添付機能をもったパンフレットにおいて、
蓋部を複数の層からなる積層体によって構成し、これら複数の層のすべてに開口窓を形成するようにしたものである。
【００２０】
(11)  本考案の第１１の態様は、名刺を添付した状態で手渡すことが可能なパンフレットを、
パンフレットとしての記載事項が印刷された表示面を有する紙面によって構成し、
折り畳むことにより、内部に前記名刺を収容した積層体を形成したときに、前記名刺の一部が外部から視認できるように、必要箇所に開口窓を形成したものである。
【００２１】
(12)  本考案の第１２の態様は、上述の第１１の態様に係る名刺添付機能をもったパンフレットにおいて、
名刺を載置可能な底面層と、この底面層の上に折り畳むことが可能な折畳層と、を設け、前記底面層に開口窓を形成したものである。
【００２２】
(13)  本考案の第１３の態様は、上述の第１〜第１２の態様に係る名刺添付機能をもったパンフレットにおいて、
各部の折り目の全部もしくは一部をミシン目によって構成し、必要に応じて、このミシン目を利用してパンフレットの一部分を切り離せるように構成したものである。
【００２３】
(14)  本考案の第１４の態様は、上述の第１〜第１３の態様に係る名刺添付機能をもったパンフレットにおいて、
本体部を、会社・店舗案内用の書状、飲食物のメニュー、商品・役務を掲載したチラシ・カタログ、催事案内用の書状、商品・役務に関するクーポン券・サービス券・割引券もしくはカレンダーなどの印刷物によって構成したものである。
【考案の効果】
【００２４】
本考案に係る名刺添付機能をもったパンフレットを用いれば、間に名刺を挟むことにより、名刺とパンフレットとを一体として手渡すことができる。また、積層体は名刺とほぼ同じサイズであり、開口窓を通して名刺の一部が視認できるので、相手方には、名刺を受け取ったという印象を与えることができる。しかも、挟んだ名刺は容易に取り外すことができるので、受け取った名刺の整理も容易になる。
【考案を実施するための最良の形態】
【００２５】
以下、本考案を図示する実施形態に基づいて説明する。図１は、本考案の一実施形態に係る名刺添付機能をもったパンフレットの斜視図である。図示のとおり、このパンフレットは、本体部１０、蓋部２０、フラップ部３０によって構成されており、名刺４０を添付した状態で手渡すことが可能なパンフレットとして機能する。
【００２６】
本体部１０は、パンフレットとしての記載事項が印刷された表示面を有する紙面から構成され、折り畳むことにより名刺４０とほぼ同じサイズの積層体を形成することが可能な構成要素である。図１の斜視図には、この本体部１０を折り畳み、積層体を構成した状態が示されており、主として最上層１１の上面が現れている。後述するように、この積層体を広げると、１枚の紙面となり、この紙面上に、パンフレットとしての記載事項が印刷されている。
【００２７】
蓋部２０は、この本体部１０に対して第１の折り目Ｆ１を介して連接しており、この第１の折り目Ｆ１を折ることにより、積層体の最上層１１の上に更に積層した状態となる紙面から構成されている。しかも、この蓋部２０には、図示のとおり、素通しの開口窓Ｗが形成されている。なお、図１では、この第１の折り目Ｆ１が、最上層１１と蓋部２０との境界のように見えているが、実際には、後述するように、第１の折り目Ｆ１は、積層体の最下層１５と蓋部２０との境界である。
【００２８】
一方、フラップ部３０は、蓋部２０に対して第２の折り目Ｆ２を介して連接しており、この第２の折り目Ｆ２を折ることにより、積層体の最下層１５の下に折り込むことができるような紙面から構成されている。このフラップ部３０は、このパンフレット全体を名刺サイズに折り畳んだときに、容易に広がらないように、蓋部２０を本体部１０に対して係合する機能を有する。
【００２９】
さて、このパンフレットに名刺４０を添付する際には、次のようにすればよい。まず、図に矢印で示されているように、折り畳まれた本体部１０によって構成されている積層体の最上層１１の上に、名刺４０を載置する。積層体の平面サイズは、名刺４０の平面サイズとほぼ同じであり、名刺４０は、最上層１１の更に上に重ねられた層として機能する。続いて、第１の折り目Ｆ１を折ることにより、この名刺４０の更に上に、蓋部２０を重ねるようにし、第２の折り目Ｆ２を折ることにより、フラップ部３０が、積層体の最下層１５の更に下層へくるようにする。
【００３０】
図２は、このような作業が完了した状態を示す斜視図である。図示のとおり、開口窓Ｗを通して、名刺４０の一部が上方から視認できる状態となっている。この例では、名刺４０のほぼ中央に対応する位置に開口窓Ｗが形成されているため、名刺４０の氏名の部分が開口窓Ｗを通して視認できる。このように、開口窓Ｗは、本体部１０と蓋部２０との間に名刺４０を挿入したときに、名刺４０の一部が上方から視認できるようにする機能を果たすものであり、その大きさ、形状、位置は、一緒に利用する名刺４０の印刷内容に応じて適宜決定すればよい。
【００３１】
一般的な名刺の場合、その中央部分に氏名が印刷されていることが多いので、このような一般的な名刺の利用を前提とすれば、図示の例のように、蓋部２０の中央部分に矩形状の開口窓Ｗを形成しておけばよい。なお、開口窓Ｗの形状は矩形に限定されるものではなく、楕円状や任意の形状であってもかまわない。また、氏名だけでなく、会社名、肩書、住所、電話番号なども視認できるようにするには、それに応じて大きな開口窓Ｗを形成しておけばよい。もちろん、開口窓Ｗを複数形成することも可能である。たとえば、氏名と電話番号のみを視認できるようにするのであれば、氏名用の開口窓と電話番号用の開口窓とをそれぞれ別個に形成すればよい。
【００３２】
図２の状態を見れば明らかなように、このパンフレットは、折り畳むことにより、ほぼ名刺と同じサイズになる。積層体の層数（枚数）が多くなれば、一般の名刺に比べて厚みは若干増すことになるが、平面的なサイズは、ほぼ名刺大であり、全体として、名刺とほぼ同じサイズの物体になる。しかも、開口窓Ｗを通して、名刺４０の文字の一部（この例では氏名）が見えた状態となっているので、受け取った側から見ると、若干厚めの名刺を受け取ったという印象を受ける。したがって、名刺交換などの儀礼上、この図２に示す状態の「パンフレット＋名刺」を、名刺の代用として用いても、相手方に大きな違和感を与えることはない。すなわち、名刺とパンフレットとを一体として手渡すことができ、しかも相手には、名刺を受け取ったという印象を与えることができる。
【００３３】
この図２に示す「パンフレット＋名刺」は、フラップ部３０の機能により、受け渡し時には、図示の形態を維持しているが、蓋部２０を広げるようにすれば、容易に図１に示す状態となるので、受け取った側は、名刺４０をすぐに取り外すことが可能であり、必要があれば、これを通常の名刺フォルダなどに入れて整理することができる。このように、受け取った側が、受け取った名刺の整理を容易に行うことができる点も、本考案の大きな特徴である。もちろん、図２に示すように、名刺４０を挟み込んだ状態で、このパンフレット全体を名刺フォルダなどに入れて整理することも可能である。
【００３４】
一方、積層体を構成している本体部１０は、広げれば１枚の紙面となるので、パンフレットとしての機能を果たすことができる。図３は、図１および図２に示すパンフレットの展開図である。この例の場合、本体部１０は、図示のとおり５枚の長方形状の領域によって構成されている。ここでは、これらの各領域を、それぞれ最上層１１，第２層１２，第３層１３，第４層１４，最下層１５と呼ぶことにする（数字は、図１に示すように折り畳んで積層体を構成した場合の上方からの配置順を示している）。
【００３５】
これら５層の各領域は、いずれもほぼ名刺サイズの長方形をなしており、蓋部２０の輪郭を構成する長方形と同じサイズのものである。結局、図３に示す展開図は、６つの同じサイズ（ほぼ名刺サイズ）の長方形を縦に並べ、その上方にフラップ部３０を配置し、それぞれの境界線を折り目として用いた構造を示している。
【００３６】
本体部１０を折り畳んで積層体にするには、図の下方に示す長方形から順に上方へとパタパタと折り畳んでゆけばよい。すなわち、まず第３層１３を第２層１２の上へと折り畳み、この２層構造体を第４層１４の上へと折り畳み、この３層構造体を最上層１１の上へと折り畳み、この４層構造体を最下層１５の上へと折り畳めば、図１のような状態になる。
【００３７】
もちろん、本体部１０を構成する各層１１〜１５についての折り畳み方は自由であるから、上記手順とは異なる折り畳み方をしてもかまわない。たとえば、側面から見た場合にジグザグになるように、いわゆる蛇腹折りをすることも可能である。折り畳み方を変えれば、当然、各層の順序は変わることになる。
【００３８】
図３に示す例は、本体部１０によって、会社案内用の書状を構成した例である。すなわち、図３の展開図に示されている上面部分に、会社案内用パンフレットとしての記載事項が印刷されている。したがって、このパンフレットを受け取った者は、図３に示すように本体部１０を広げることにより、会社案内を読むことができる。もちろん、パンフレットとしての記載事項は、本体部１０を構成する紙面のいずれの面に印刷してもかまわないので、図３に示す展開図には示されていない裏面側に印刷を行ってもよい。また、本体部１０を構成する各領域の必ずしも全部に印刷を行う必要もないし、必要に応じて、蓋部２０に印刷を行うことも可能である。
【００３９】
ところで、本体部１０は、パンフレットとしての記載事項が印刷された表示面を有する紙面から構成され、折り畳むことにより名刺４０とほぼ同じサイズの積層体を形成することが可能であればよいので、その展開図は、図３に示すものに限定されるものではない。
【００４０】
図４は、本発明の別な実施形態に係るパンフレットの展開図である。この実施形態に係るパンフレットも、本体部１０、蓋部２０、フラップ部３０から構成され、蓋部２０に開口窓Ｗが形成されているという基本構成は、前述した実施形態と全く同じである。ただ、本体部３０は、図示のとおり、４つの長方形領域１０Ａ，１０Ｂ，１０Ｃ，１０Ｄによって構成されている。領域１０Ｂの上辺は、蓋部２０との境界となる第１の折り目Ｆ１を構成しており、領域１０Ｂの左辺，右辺，下辺は、それぞれ別な領域１０Ａ，１０Ｃ，１０Ｄとの境界となる折り目を構成している。
【００４１】
また、この図４の実施形態では、蓋部２０に形成された開口窓Ｗおよびその近傍部分に、透光性のシート状部材２１（たとえば、セロファン紙）を張り付けている。この例では、開口窓Ｗの周囲の近傍部分に糊をつけて透光性のシート状部材２１を接着しているが、もちろん、蓋部２０の全面に糊をつけて、蓋部２０とほぼ同じ面積をもった透光性のシート状部材を張り付けるようにしてもよい。図４のような構造を採ると、透光性材料を通して名刺４０の一部が視認できるようになるので、高級感を演出することができる。また、透光性のシート状部材２１として、赤色のセロファン紙など、着色した材料を用いれば、名刺の一部が着色した状態で見えるようになり、特異な効果を生むことになる。
【００４２】
なお、図４の実施形態の場合も、各領域を折り畳んで積層体を構成したときに、最終的にどの領域が何番目の層になるかは、折り畳みの方向（折り目を山折りするか、谷折りするか）や、折り畳みの順序（領域１０Ａ，１０Ｂ，１０Ｃ，１０Ｄをどの順に折ってゆくか）に依存して定まることになる。もちろん、各領域の折り畳み方は自由であり、パンフレットとしての記載事項をどの領域に印刷するかも自由である。この図４に示す例は、本体部１０によって、レストランのメニューを構成したものである。
【００４３】
このように、本考案を実施するにあたって、蓋部２０や本体部１０の領域構成、すなわち展開図は任意に設計することが可能であるが、通常の名刺が長方形状をしていることを考慮すると、実用上は、蓋部２０を、名刺とほぼ同じサイズの長方形の形状を有する紙面から構成し、本体部１０を、前記長方形を複数隣接配置した形状を有する紙面から構成するのが好ましい。そうすれば、本体部１０を構成する各長方形の輪郭線に沿った折り目を用いて折り畳むことにより、ほぼ名刺大の長方形平面を有する積層体を形成することができるようになり、蓋部２０やフラップ部３０を折り畳んだ場合、図２に示すように、全体として、ほぼ名刺に似た形状の構造体を得ることができる。
【００４４】
もっとも、一般的な名刺が長方形であるからといって、本体部１０を構成する各領域１１〜１５，１０Ａ〜１０Ｄや蓋部２０は、必ずしも長方形の外形をもった形状にする必要はない。たとえば、図４に示す領域１０Ａや１０Ｃの上辺や下辺を斜めにカットして台形にしても、折り畳んだ状態のパンフレットは、やはり名刺大になる。このように、本体部１０を構成する各領域や蓋部２０の形状は、名刺大の長方形を外枠とする任意の形状に設計しても、上述の実施形態と同様の効果が得られる。結局、長方形状の名刺に対応したパンフレットを作成するには、平面上に名刺大の長方形を複数隣接配置してなる図形を定義し、１つの長方形を外枠とする任意形状の紙面により蓋部を形成し、残りの長方形をそれぞれ外枠とする任意形状の紙面により本体部となる積層体の各層を形成し、各長方形の輪郭線に沿った折り目を用いて折り畳むことにより積層体が形成できるようにすればよい。
【００４５】
また、図３や図４に示す実施形態では、本体部１０を構成する各領域には開口窓が形成されていないが、もちろん、本体部１０に開口窓を形成してもかまわない。たとえば、図４に示す例において、領域１０Ａ〜１０Ｄのいずれかに、ハート型の切り抜き構造をもった開口窓を形成すれば、この開口窓は、名刺の一部を外部に露出させる機能は有していないかもしれないが、装飾的な機能を果たすことができる。このように、本考案を実施するにあたって、本体部１０の所定箇所に、任意形状を有する装飾用の開口窓を形成すれば、意匠上の効果が得られることになる。
【００４６】
なお、これまで述べた実施形態では、いずれもフラップ部３０を、蓋部２０に比べて小さな紙片で構成しているが、フラップ部３０のサイズに関しての限定は特にない。したがって、フラップ部３０を蓋部２０と同じサイズの長方形状の紙片によって構成することも可能である。また、フラップ部３０は、必ずしも１層からなる紙片によって構成する必要はなく、本体部１０と同様に、積層体によってフラップ部３０を構成してもかまわない。
【００４７】
更に、これまで述べた実施形態では、第２の折り目Ｆ２を折ることにより、フラップ部３０を、本体部１０からなる積層体の最下層の下にもってくるようにして、図２に示すような「パンフレット＋名刺」の状態を維持させるようにしているが、フラップ部３０は、必ずしも積層体の最下層の下にもってくる必要はなく、積層体の中間層に挿入するようにしてもかまわない。
【００４８】
たとえば、図４に示す展開図では、領域１０Ｄが、領域１０Ｂの下辺に連接されているが、領域１０Ｄが、領域１０Ｃの右辺に連接するような構造を採ることも可能である。この場合、本体部１０の積層体は、４つの領域１０Ａ，１０Ｂ，１０Ｃ，１０Ｄを、相互に横方向に折り畳むことにより構成されることになるので、フラップ部３０は、積層体の最下層の下にもってくることも可能であるが、積層体の任意の中間層に挿入することも可能になる。
【００４９】
なお、フラップ部３０は、蓋部２０を本体部１０の上に固定し、名刺４０を包み込んで保持する機能を果たすことになるが、この機能を更に効果的にするには、「フラップ部３０」もしくは「このフラップ部３０を第２の折り目Ｆ２で折ったときに接することになる本体部１０側の当接領域」に、これら両者を粘着状態にするための粘着層を形成しておくとよい。たとえば、図４に示す例の場合、この展開図におけるフラップ部３０の上面部分に、弱粘着性のテープや糊などを付着させておけば、このパンフレットに名刺４０を組み込んで折り畳んだときに、フラップ部３０を本体部１０側に貼り付けることができる。弱粘着性のテープや糊であれば、フラップ部３０を容易に剥がすことができるので、パンフレットを広げたり、名刺４０を取り出したりする上で支障は生じない。
【００５０】
もちろん、フラップ部３０側ではなく、このフラップ部３０が接することになる本体部１０側の当接領域に弱粘着性のテープや糊などを付着させておいてもよい。あるいは、別体として用意した弱粘着性の粘着シールにより、フラップ部３０を本体部１０に固定することも可能である。
【００５１】
フラップ部３０を本体部１０に固定する別な方法として、「フラップ部３０」もしくは「このフラップ部３０を第２の折り目Ｆ２で折ったときに接することになる本体部側の当接領域」に、これら両者を係合状態にするための切れ目を形成することも可能である。たとえば、図４に示す例の場合、フラップ部３０の縁の部分に切れ込みを入れておき、本体部１０の対応部分にも切れ込みを入れておき、フラップ部３０を折り込んだときに、両切れ込みを係合させることにより、フラップ部３０が開かないようにすればよい。もちろん、切れ込みの形態によっては、フラップ部３０か本体部１０のいずれか一方にだけ切れ込みを入れて、他方の縁に引っかけるような構造にすることも可能である。
【００５２】
以上、フラップ部３０を用いた実施形態を述べたが、本考案を実施するにあたって、フラップ部３０は必ずしも設ける必要はない。フラップ部３０がないと、蓋部２０を本体部１０の上に固定する機能は弱くなるが、蓋部２０は折り目Ｆ２によって本体部１０に繋がっているため、折り目Ｆ２をしっかりと折っておけば、蓋部２０は、フラップ部３０がなくても、挟んだ名刺４０をある程度保持する機能を果たすことができる。
【００５３】
なお、名刺４０をなるべくしっかりと保持しておきたい場合には、積層体の最上層もしくは蓋部に、名刺を粘着固定するための粘着層を形成しておくとよい。たとえば、図４に示す例の場合、この展開図における蓋部２０の上面部分や、積層体の最上層となる部分に、弱粘着性のテープや糊などを付着させておけば、名刺４０を蓋部２０の裏面や、積層体の最上層の上面に固定することができる。やはり弱粘着性のテープや糊であれば、名刺４０を容易に剥がすことができるので支障は生じない。
【００５４】
あるいは、積層体の最上層もしくは蓋部に、名刺を差し込むことにより固定するための開口窓もしくはスリットを形成してもよい。たとえば、最上層にスリットを設け、このスリットに名刺４０の一部分を差し込むようにすれば、名刺４０を最上層の上に固定することができる。もちろん、名刺４０は、スリットから抜いて取り外すことができるので支障は生じない。スリットの代わりに、開口窓を用いて名刺４０を固定することも可能である。また、名刺固定用のスリットや開口窓を、蓋部２０側に設けておき、名刺４０を蓋部２０の裏側に固定することも可能である。
【００５５】
また、これまで述べた実施形態では、蓋部２０を１層（１枚の紙）によって構成しているが、蓋部２０を、本体部１０と同様に、紙面を折り畳むことにより形成された複数の層からなる積層体によって構成することも可能である。この場合、蓋部２０を構成する複数の層のすべてに開口窓Ｗを形成しておけば、本体部１０の積層体と蓋部２０の積層体との間に名刺４０を挟んだときに、名刺４０の一部が開口窓Ｗを通して視認できるようになる。
【００５６】
更に、これまで述べた実施形態は、本体部１０の積層体や蓋部２０が、添付対象となる名刺４０とほぼ同じサイズのものであったが、積層体や蓋部のサイズは、必ずしも「名刺４０とほぼ同じサイズ」にする必要はなく、「名刺４０とほぼ同じサイズの枠内に収まるサイズ」になっていれば、本考案の効果を得ることができる。
【００５７】
たとえば、図１に示す例の場合、蓋部２０も、本体部１０の積層体も、添付対象となる名刺４０とほぼ同じサイズになっているので、間に名刺４０を挟んで揃えると、図２に示すように、全体がほぼ名刺４０と同じサイズになる。このため、「パンフレット＋名刺」という形態で相手に手渡した場合でも、相手に「名刺を受け取った」という印象を与えることができる効果がある点は、既に述べたとおりである。ただ、この効果は、積層体のサイズや蓋部のサイズが、名刺４０のサイズよりも小さくても得ることができる。
【００５８】
具体例として、図１に示す本体部１０の積層体の縦幅のみを若干短くした場合を考えてみよう。この場合、蓋部２０のサイズは名刺大なので、名刺４０を挟んだ状態において、この名刺４０の下にある積層体が若干寸足らずになっているだけである。したがって、その上方からの外観は、図２に示すものと変わりはなく、受け取った相手に対して、「名刺を受け取った」という印象を与える効果にも変わりはない。
【００５９】
一方、蓋部２０の縦幅だけを若干短くした場合や、本体部１０の積層体の縦幅と蓋部２０の縦幅との双方を若干短くした場合を考えると、名刺４０を挟んだときの上方からの外観は、図２とは若干異なり、名刺４０の一部分が蓋部２０から食み出して見えることになる。ただ、「パンフレット＋名刺」という形態全体は、ほぼ名刺大になるので、受け取った相手には、やはり「名刺を受け取った」という印象を与えることができる。
【００６０】
結局、本体部１０の積層体のサイズや、蓋部２０のサイズを、「名刺４０とほぼ同じサイズの枠内に収まるサイズ」にしておけば、本体部１０の積層体の外形や、蓋部２０の外形が、名刺４０の外形から大きく食み出すことはないので、「パンフレット＋名刺」という形態全体は、ほぼ名刺大になり、受け取った相手に、「名刺を受け取った」という印象を与える効果を奏することができる。
【００６１】
最後に、もう一つ別な実施形態を、図５の展開図を参照しながら説明する。このパンフレットは、本体部１０とフラップ部３０とによって構成されている。本体部１０は、図示のとおり、５つの長方形領域１０Ｖ，１０Ｗ，１０Ｘ，１０Ｙ，１０Ｚによって構成されている。ここに示す例の場合、領域１０Ｘを底面層となるべき領域に設定しているため、この領域１０Ｘに、開口窓Ｗが形成されている。他の領域は、この底面層１０Ｘの上に折り畳むことにより折畳層となる領域である。たとえば、底面層１０Ｘ上に名刺４０を裏返しに載置し、その上に、折畳層１０Ｖ，１０Ｚ，１０Ｙ，１０Ｗの順に折り重ねてゆき、最後に、フラップ部３０を折り畳めば、名刺４０は、この本体部１０からなる積層体の内部に収容された状態になる。しかも、底面層１０Ｘには、開口窓Ｗが形成されているため、名刺４０の一部は底面側から視認できる状態になるので、これまで述べた実施形態と同様の効果が得られる。
【００６２】
この図５に示すパンフレットは、要するに、名刺４０を載置可能な底面層１０Ｘと、この底面層１０Ｘの上に折り畳むことが可能な折畳層１０Ｖ，１０Ｗ，１０Ｙ，１０Ｚと、を有し、底面層１０Ｘに開口窓Ｗを形成した構造を有することになるが、もちろん、各折畳層の数、形状、配置、折り畳み順は任意でかまわない。また、領域１０Ｖ〜１０Ｚのいずれの領域を底面層となるべき領域に設定してもよい。たとえば、領域１０Ｘの代わりに、領域１０Ｙを底面層となるべき領域に設定した場合は、開口窓Ｗを領域１０Ｙに設け、領域１０Ｙの上に名刺４０を載置し、領域１０Ｙが底面となるような折り畳み方をすればよい。また、底面層を複数の層によって構成してもよい（この場合、これら複数の層に、それぞれ開口窓が必要になる）。要するに、本体部１０は、パンフレットとしての記載事項が印刷された表示面を有する紙面から構成されており、折り畳むことにより、内部に名刺４０を収容した積層体を形成することができ、そのように名刺４０を内部に収容したときに、名刺４０の一部が外部から視認できるように、必要箇所に開口窓Ｗが形成されていればよい。
【００６３】
もちろん、この実施形態の場合も、フラップ部３０を粘着層で固定したり、切れ目を用いて固定したりしてもかまわない。あるいは、底面層の上に名刺を粘着層で固定することも可能である。また、フラップ部３０は設けなくてもかまわない。
【００６４】
本考案に係るパンフレットは、これまで説明した実施形態からも明らかなように、各部に折り目が形成されている。これらの折り目の全部もしくは一部をミシン目によって構成しておくと、必要に応じて、このミシン目を利用してパンフレットの一部を切り離せるので便利である。たとえば、パンフレットの一部にクーポン券・サービス券・割引券などが
印刷されている場合、その境界線となる折り目をミシン目によって構成しておけば、これらの券を必要に応じて容易に切り離して利用することができる。もちろん、折り目以外の位置にミシン目を形成し、そこから切り離せるようにしてもよい。
【００６５】
なお、図３に示す実施形態では、会社案内用の書状により本体部１０を構成した例を示し、図４および図５に示す実施形態では、料理のメニューにより本体部１０を構成した例を示したが、既に述べたとおり、本願に言う「パンフレット」とは、種々の商業的情報を掲載して配布する印刷物を広く指しており、会社案内、店舗案内などは勿論のこと、商品・役務を掲載したカタログやチラシ、飲食物のメニュー、キャンペーンや催事のお知らせ、クーポン券・サービス券・割引券、カレンダーなどの印刷物も含むものである。したがって、本体部１０は、これらの広義の「パンフレット」を構成する任意の印刷物によって構成することが可能である。同様に、本願にいう「名刺」は、個人用の名刺に限定されるものではなく、たとえば、個人名が表記されておらず、店舗名のみが表記されたカードの類いも含むものである。
【図面の簡単な説明】
【００６６】
【図１】本考案の一実施形態に係る名刺添付機能をもったパンフレットの構造を示す斜視図である。
【図２】図１に示すパンフレットに名刺を挟み込んで畳んだ状態を示す斜視図である。
【図３】図１に示すパンフレットの展開図である。
【図４】本考案の別な実施形態に係る名刺添付機能をもったパンフレットの展開図である。
【図５】本考案の更に別な実施形態に係る名刺添付機能をもったパンフレットの展開図である。
【符号の説明】
【００６７】
１０：本体部（複数の層の積層体）
１０Ａ〜１０Ｄ：本体部を構成する各層（各領域）
１０Ｖ，１０Ｗ，１０Ｙ，１０Ｚ：折畳層（各領域）
１０Ｘ：底面層（底面の領域）
１１〜１５：本体部を構成する各層（各領域）
２０：蓋部
２１：透光性のシート状部材
３０：フラップ部
４０：名刺
Ｆ１，Ｆ２：折り目
Ｗ：開口窓
【図１】
0003121148.tif 000003
【図２】
0003121148.tif 000004
【図３】
0003121148.tif 000005
【図４】
0003121148.tif 000006
【図５】
0003121148.tif 000007